(57)【要約】  この発明に係わる電力開閉装置は、固定側絶縁支持物１０５に支持され、真空バルブ１１０の固定側を固定保持する固定側コンタクトケース１０９に形成され、前記真空バルブ１１０を水平方向に挿通可能に前記真空バルブ１１０の外径より大きな内径を有し、前記真空バルブ１１０の固定側端部が挿通されて配置される挿通孔１０９ａと、前記固定側コンタクトケース１０９に取り付けられ、前記真空バルブ１１０の固定側端部と連結された固定側接続導体１１３とを設けたものである。
2011104915.tif 000002
【特許請求の範囲】
【請求項１】
軸心方向を水平方向に配置した接地タンクと、前記接地タンク内に水平方向に配置され、操作機構と連結される真空バルブと、前記接地タンク内に配置され、前記接地タンクに支持された可動側絶縁支持物と、前記可動側絶縁支持物に支持され、前記真空バルブの可動側を固定保持する可動側コンタクトケースと、前記接地タンク内に配置され、前記接地タンクに支持された固定側絶縁支持物と、前記固定側絶縁支持物に支持され、前記真空バルブの固定側を固定保持する固定側コンタクトケースと、一方側は前記接地タンクの壁部を貫通して前記可動側コンタクトケースに接続されるとともに他方側は可動側ブッシングを介して前記接地タンクの上方に伸長配置される可動側端子導体と、一方側は前記接地タンクの壁部を貫通して前記固定側コンタクトケースに接続されるとともに他方側は固定側ブッシングを介して前記接地タンクの上方に伸長配置される固定側端子導体とを備えた電力開閉装置において、前記固定側コンタクトケースに形成され、前記真空バルブを水平方向に挿通可能に前記真空バルブの外径より大きな内径を有し、前記真空バルブの固定側端部が挿通されて配置される挿通孔と、前記固定側コンタクトケースに取り付けられ、前記真空バルブの固定側端部と連結された固定側接続導体とを設けたことを特徴とする電力開閉装置。
【請求項２】
前記固定側コンタクトケースを介して前記固定側絶縁支持物のみで前記真空バルブを水平に支持したことを特徴とする請求項１に記載の電力開閉装置。
【請求項３】
前記真空バルブと前記操作機構との連結を外すとともに前記固定側接続導体を前記固定側コンタクトケースから取り外すことにより、前記真空バルブを前記固定側コンタクトケースの挿通孔を挿通させて前記接地タンクから引き出すようにしたことを特徴とする請求項１または請求項２に記載の電力開閉装置。
【請求項４】
前記接地タンクの壁部に、前記操作機構と前記真空バルブとの連結部を確認または着脱を行うための作業窓を設けたことを特徴とする請求項１ないし請求項３のいずれか１項に記載の電力開閉装置。
【請求項５】
前記真空バルブの引き出しまたは挿入時に、前記真空バルブの外周部を下方から支持する支持体を配置したことを特徴とする請求項１ないし請求項４のいずれか１項に記載の電力開閉装置。
【請求項６】
前記接地タンクの壁部下方に、前記真空バルブの引き出しまたは挿入時に、前記真空バルブの外周部を下方から支持する前記支持体を装着する作業窓を配置したことを特徴とする請求項５に記載の電力開閉装置。
【請求項７】
軸心方向を水平方向に配置した接地タンクと、前記接地タンク内に水平方向に配置され、操作機構と連結される真空バルブと、前記接地タンク内に配置され、前記接地タンクに支持された可動側絶縁支持物と、前記可動側絶縁支持物に支持され、前記真空バルブの可動側を固定保持する可動側コンタクトケースと、前記接地タンク内に配置され、前記接地タンクに支持された固定側絶縁支持物と、前記固定側絶縁支持物に支持され、前記真空バルブの固定側を固定保持する固定側コンタクトケースと、一方側は前記接地タンクの壁部を貫通して前記可動側コンタクトケースに接続されるとともに他方側は可動側ブッシングを介して前記接地タンクの上方に伸長配置される可動側端子導体と、一方側は前記接地タンクの壁部を貫通して前記固定側コンタクトケースに接続されるとともに他方側は固定側ブッシングを介して前記接地タンクの上方に伸長配置される固定側端子導体とを備えた電力開閉装置において、前記真空バルブは前記可動側コンタクトケースと分離可能に構成され、前記真空バルブを固定側端部方向に水平に引き出すようにしたことを特徴とする電力開閉装置。
【発明の詳細な説明】
【技術分野】
【０００１】
この発明は、電力設備の送配電および受電設備などに用いられるタンク形真空遮断器が装備された電力開閉装置に関し、特にタンク形真空遮断器における真空バルブの支持構造に関するものである。
【背景技術】
【０００２】
従来の例えばタンク形真空遮断器が装備された電力開閉装置としては、図７に示すものがある。図７は特許文献１に記載された従来の電力開閉装置を示す縦断面図である。【０００３】
図７において、接地タンク２の一端には支持板３を介して操作機構または操作機構への連結機構が設けられる。接地タンク２内の水平方向一端には絶縁支持筒５が支持板３に支持され、接地タンク２内の水平方向他端には支持碍子６が支持される。絶縁支持筒５には絶縁サポート７を介して導電性の可動側コンタクトケース８が支持されている。支持碍子６には固定側コンタクトケース９が支持されている。可動側コンタクトケース８、固定側コンタクトケース９には遮断部である真空バルブ１０の可動側端部および固定側端部が水平に支持されている。接地タンク２の外部に設置された操作機構または操作機構の連結部と、絶縁支持筒５および絶縁サポート７内を挿通した絶縁操作ロッド１２とを介して真空バルブ１０の可動コンタクト１１と接続する。【０００４】
そして、真空バルブ１０の可動コンタクト１１は可動側コンタクトケース８に挿通されるとともに、電気的に接続された可動側導体３５と固定側導体１５が傾斜状態で上方に伸びて設けられ、可動側導体３５、固定側導体１５はそれぞれブッシング１６，１７により包囲され、可動側導体３５、固定側導体１５の上端にはそれぞれブッシング端子２０，２１が設けられる。（特許文献１  図２参照）【０００５】
また、図８に示す他の従来のタンク形真空遮断器が装備された電力開閉装置は、上述した従来の電力開閉装置の構造に加え、可動側コンタクトケース８、固定側コンタクトケース９および真空バルブ１０の端部電界の電界緩和を目的として、電界緩和シールド２４，２５が可動側コンタクトケース８、固定側コンタクトケース９および真空バルブ１０端部を包囲する形態に配置されている。（特許文献２  図１参照）【０００６】
【特許文献１】特開２００７−３０６７０１号公報
【特許文献２】特開２００３−３１９５１５号公報
【発明の開示】
【発明が解決しようとする課題】
【０００７】
上述した従来の電力開閉装置においては、真空バルブ１０の固定側は固定側コンタクトケース９を介し支持碍子６により支持され、固定側コンタクトケース９はその上方に傾斜状態で配置された固定側導体１５が内部に挿入されている。【０００８】
また、真空バルブ１０の可動側は可動側コンタクトケース８を介し絶縁サポート７および絶縁支持筒５を介し支持され、可動側コンタクトケース８はその上方に傾斜状態で配置された可動側導体３５が内部に挿入されている。【０００９】
更に、真空バルブ１０の可動コンタクト１１は絶縁サポート７および絶縁支持筒５内に挿通されている。このため、真空バルブ１０は可動側コンタクトケース８、固定側コンタクトケース９と絶縁支持筒５、支持碍子６に挟まれた構造となり、真空バルブ１０の取付けおよび接地タンク２の外部に配置された操作機構または操作機構の連結部と接続が困難であるという課題があった。【００１０】
また、可動側コンタクトケース８、固定側コンタクトケース９と上方より傾斜上に挿入された可動側導体３５、固定側導体１５を接続した状態においては真空バルブ１０の着脱が非常に困難であり、絶縁支持筒５または支持碍子６を取り外す必要があるという課題があった。【００１１】
この発明は上記のような課題を解決するためになされたものであり、装置全体を小型にすることができるとともに、真空バルブの組立性の向上、真空バルブの交換を可能とすることができる電力開閉装置を提供することを目的とする。
【課題を解決するための手段】
【００１２】
この発明に係わる電力開閉装置は、軸心方向を水平方向に配置した接地タンクと、前記接地タンク内に水平方向に配置され、操作機構と連結される真空バルブと、前記接地タンク内に配置され、前記接地タンクに支持された可動側絶縁支持物と、前記可動側絶縁支持物に支持され、前記真空バルブの可動側を固定保持する可動側コンタクトケースと、前記接地タンク内に配置され、前記接地タンクに支持された固定側絶縁支持物と、前記固定側絶縁支持物に支持され、前記真空バルブの固定側を固定保持する固定側コンタクトケースと、一方側は前記接地タンクの壁部を貫通して前記可動側コンタクトケースに接続されるとともに他方側は可動側ブッシングを介して前記接地タンクの上方に伸長配置される可動側端子導体と、一方側は前記接地タンクの壁部を貫通して前記固定側コンタクトケースに接続されるとともに他方側は固定側ブッシングを介して前記接地タンクの上方に伸長配置される固定側端子導体とを備えた電力開閉装置において、前記固定側コンタクトケースに形成され、前記真空バルブを水平方向に挿通可能に前記真空バルブの外径より大きな内径を有し、前記真空バルブの固定側端部が挿通されて配置される挿通孔と、前記固定側コンタクトケースに取り付けられ、前記真空バルブの固定側端部と連結された固定側接続導体とを設けたものである。
【発明の効果】
【００１３】
この発明に係わる電力開閉装置によれば、装置全体を小型にすることができるとともに、真空バルブの組立性の向上、真空バルブの交換を可能とすることができる電力開閉装置を得ることができる。
【図面の簡単な説明】
【００１４】
【図１】この発明の実施の形態１に係わる電力開閉装置を示す縦断面図である。
【図２】この発明の実施の形態１に係わる電力開閉装置を示す図１のＡ−Ａ線における断面図である。
【００１５】
【図３】この発明の実施の形態１に係わる電力開閉装置における真空バルブを引き出し中の状態を示す縦断面図である。
【図４】この発明の実施の形態１に係わる電力開閉装置における真空バルブを引き出し中の状態を示す縦断面図である。
【図５】この発明の実施の形態１に係わる電力開閉装置における真空バルブを取り外した状態を示す縦断面図である。
【図６】この発明の実施の形態１に係わる電力開閉装置における真空バルブを取り外す場合の構成を示す縦断面図である。
【００１６】
【図７】従来の電力開閉装置を示す縦断面図である。
【図８】従来の電力開閉装置を示す縦断面図である。
【発明を実施するための形態】
【００１７】
実施の形態１．
以下、この発明の実施の形態１を図１〜図６に基づいて説明する。図１はこの発明の実施の形態１に係わる電力開閉装置を示す縦断面図である。図２はこの発明の実施の形態１に係わる電力開閉装置を示す図１のＡ−Ａ線における断面図である。
【００１８】
図３および図４はこの発明の実施の形態１に係わる電力開閉装置における真空バルブを引き出し中の状態を示す縦断面図である。図５はこの発明の実施の形態１に係わる電力開閉装置における真空バルブを取り外した状態を示す縦断面図である。図６はこの発明の実施の形態１に係わる電力開閉装置における真空バルブを取り外す場合の構成を示す縦断面図である。
【００１９】
これら各図において、軸心方向を水平方向に配置した接地タンク１０２の水平方向の一端である可動側端部には支持板１０３を介して操作機構１３０または操作機構１３０への連結機構１３１が設けられている。
【００２０】
接地タンク１０２の水平方向の一端である可動側端部には接地タンク１０２内に配置された円錐円筒状の可動側絶縁支持物１０５が可動側支持板１０４に支持されている。接地タンク１０２内の水平方向の他端である固定側端部には接地タンク１０２内に配置された円錐円筒状の固定側絶縁支持物１０７が固定側支持板１０６に支持されている。固定側支持板１０６の外側にはカバー１３７が取り付けられている。
【００２１】
可動側絶縁支持物１０５には導電性の可動側コンタクトケース１０８が支持され、真空バルブ１１０の可動側を固定保持する。固定側絶縁支持物１０７には導電性の固定側コンタクトケース１０９がモールド状態で支持され、真空バルブ１１０の固定側を固定保持する。
【００２２】
さらに、固定側接続導体１１３が固定側コンタクトケース９にボルト１３５にて締結・接続され、固定側接続導体１１３は遮断部である真空バルブ１１０の固定側端部を片持状態に支持する。真空バルブ１１０の可動側端部は接地タンク１０２内に水平方向に配置され、操作機構１３０または操作機構１３０への連結機構１３１と連結される。
【００２３】
この結果として、可動側コンタクトケース１０８、固定側コンタクトケース１０９の中間位置に、固定側コンタクトケース１０９の端部に装着された固定側接続導体１１３を介して片持支持される状態で真空バルブ１１０が水平に支持される。
【００２４】
接地タンク１０２の外部に設置された操作機構１３０の連結機構１３１の連結部１３２と、可動側絶縁支持物１０５及び可動側コンタクトケース１０８を挿通して絶縁操作ロッド１１２が配置されており、絶縁操作ロッド１１２の両端に設けた連結用ピン１３３，１３４を介して、真空バルブ１１０の可動側コンタクト導体１１１と、絶縁操作ロッド１１２と、連結機構１３１と、操作機構１３０とを連結している。
【００２５】
また、可動側コンタクトケース１０８と真空バルブ１１０の可動側コンタクト導体１１１とは可動側コンタクト導体１１１の伸長部の外周に配置したスライドコンタクト１３６にて摺動状態で接触している。
【００２６】
可動側端子導体１１４の一方側は接地タンク１０２内に配置された可動側コンタクトケース１０８に電気的に接続されるとともに、可動側端子導体１１４の他方側は可動側ブッシング１１６を介して接地タンク１０２の上方に伸長配置される。可動側端子導体１１４は可動側ブッシング１１６により包囲されて絶縁性が保たれている。
【００２７】
固定側端子導体１１５の一方側は接地タンク１０２内に配置された固定側絶縁支持物１０７に支持された固定側コンタクトケース１０９に電気的に接続されるとともに、固定側端子導体１１５の他方側は接地タンク１０２の上方に伸長配置される。固定側端子導体１１５は固定側ブッシング１１７により包囲されて絶縁性が保たれている。
【００２８】
接地タンク１０２の壁部下面には、操作機構１３０と真空バルブ１１０との連結部、すなわち、絶縁操作ロッド１１２との連結部１３２の確認または連結用ピン１３４の着脱を行うための作業窓１２２が設けられている。
【００２９】
可動側絶縁支持物１０５の作業窓１２２に対向する箇所には連結部１３２の連結用ピン１３４の着脱作業を行うための作業口１０５ａを形成している。
【００３０】
固定側コンタクトケース１０９の内径側に形成され、真空バルブ１１０を水平方向に挿通可能に真空バルブ１１０の外径寸法より大きな内径寸法を有し、真空バルブ１１０の固定側端部が挿通されて配置される挿通孔１０９ａが真空バルブ１１０の軸方向に設けられている。
【００３１】
固定側絶縁支持物１０７にモールド状態で支持された固定側コンタクトケース１０９にボルト１３５で締結接続された固定側接続導体１１３は、真空バルブ１１０の固定側端部と連結されており、真空バルブ１１０を接続した状態で固定側コンタクトケース１０９に対して着脱することができる。
【００３２】
可動側コンタクトケース１０８及び固定側コンタクトケース１０９は可動側絶縁支持物１０５及び固定側絶縁支持物１０７により支持されており、傾斜状態で上方より挿入する形態により接続された可動側導体１１４及び固定側導体１１５を取り外すことなく、真空バルブ１１０を水平方向に引き出し・挿入することができる。
【００３３】
次に、真空バルブ１１０の引き出し作業について図３に基づいて説明する。接地タンク１０２の壁部下面に設けた作業窓１２２の蓋部材１２２ａを取り外して可動側絶縁支持物１０５の作業口１０５ａを通して絶縁操作ロッド１１２との連結部１３２の連結用ピン１３４を取り外す。
【００３４】
接地タンク１０２の水平方向の他端の固定側支持板１０６の外側に取り付けられたカバー１３７を取り外し、固定側接続導体１１３を固定側コンタクトケース１０９から取り外す。そして、取外金具１３８を固定側接続導体１１３に装着し、水平方向の矢印Ｐ方向に引き出している。
【００３５】
また、真空バルブ１１０の引き出しまたは挿入時において、真空バルブ１１０の外周部を下方から支持する支持体１４０を作業口１３９の蓋部材１３９ａを取り外して挿入して配置し、真空バルブ１１０の外周部を下方から支持している。この支持体１４０を設けることにより、真空バルブ１１０の引き出しまたは挿入を水平方向に安定して行なうことができる。
【００３６】
また、図４に示すように、取外金具１３８を台車形状とすることで、作業口１３９、支持体１４０を設けることなく真空バルブ１１０の引き出しまたは挿入を安定して行なうことができる。
【００３７】
図５は、真空バルブ１１０の引き出し完了の状態を示している。以上のように、この実施の形態１においては、固定側コンタクトケース１０９の内径側に形成され、真空バルブ１１０を水平方向に挿通可能に真空バルブ１１０の外径寸法より大きな内径寸法を有し、真空バルブ１１０の固定側端部が挿通されて配置される挿通孔１０９ａを真空バルブ１１０の軸方向に設けたことにより、真空バルブ１１０の固定側を固定側コンタクトケース１０９の挿通孔１０９ａに挿通して固定保持することができ、真空バルブ１１０を水平方向に保持することができる。
【００３８】
また、真空バルブ１１０の引き出し作業に際しては、接地タンク１０２の壁部下面に設けた作業口１２２の蓋部材１２２ａを取り外して可動側絶縁支持物１０５の作業用窓１０５ａを通して絶縁操作ロッド１１２との連結部１３２の連結用ピン１３４を取り外すことにより操作機構１３０との連結を解除し、そして、カバー１３７を取り外して固定側接続導体１１３を固定側コンタクトケース１０９から取り外し、取外金具１３８を固定側接続導体１１３に装着し、真空バルブ１１０を固定側コンタクトケース１０９の挿通孔１０９ａ内を挿通させて水平方向の矢印Ｐ方向に引き出すようにしたので、傾斜状態で上方より挿入する形態により接続された可動側導体１１４及び固定側導体１１５、固定側絶縁支持物１０７を取り外すことなく、真空バルブ１１０を水平方向に引き出し・挿入することができる。その結果として、装置全体を小型にすることができるとともに、真空バルブ１１０の組立性の向上、真空バルブ１１０の現地交換を可能とすることができる。
【００３９】
さらに、図３に示す形態において、真空バルブ１１０の外周部を下方から支持する支持体１４０とその支持体１４０を接地タンク１０２内に挿入するための作業口１３９を設けたことにより、真空バルブ１１０の引き出しまたは挿入を水平方向に安定して行なうことができる。
【００４０】
また、真空バルブ１１０は可動側コンタクトケース１０８と分離可能に構成し、真空バルブ１１０を固定側端部方向に水平に引き出すようにしてもよい。
【産業上の利用可能性】
【００４１】
この発明は、真空遮断器全体を小型にすることができるとともに，真空バルブの組立性の向上，真空バルブの交換を可能とすることができる電力開閉装置の実現に好適である。
【図１】
2011104915.tif 000003
【図２】
2011104915.tif 000004
【図３】
2011104915.tif 000005
【図４】
2011104915.tif 000006
【図５】
2011104915.tif 000007
【図６】
2011104915.tif 000008
【図７】
2011104915.tif 000009
【図８】
2011104915.tif 000010
【国際調査報告】
2011104915.tif 000011
2011104915.tif 000012
2011104915.tif 000013
2011104915.tif 000014